(57)【要約】【課題】中古車の販売及び買取業務における、流動的で不確定要素の強い需要について、販売店側が買取判断を行うことを可能とし、潜在的な買取候補車をライバル店に先に買い取られてしまうという、いわゆる「買い負け」を防止して販売店に必要な在庫を確保することが可能な中古車買取情報通知システム及び通知方法を提供することを目的とする。【解決手段】中古車買取店が得た潜在的な買取候補車に関する情報の中から、中古車販売者が必要とする情報のみを抽出し、これを当該中古車販売者へ通知することにより、販売者は自己が必要とする情報のみを取得することができ、この情報に基づいて流動的かつ不確定要素の強い需要について買取判断を行うことができる。この判断を買取店へ連絡することにより必要な在庫を確保し、いわゆる「買い負け」を防止することができる。【選択図】　　　　　図２
2004139359.tif 000002
【特許請求の範囲】
【請求項１】
中古車の買取者が有する中古車の潜在的な買取情報を中古車の販売者に通知するための買取情報通知システムであって、
前記買取者から受信する前記買取情報を格納する買取情報格納手段と、
前記買取情報に関する情報の通知を要求する前記販売者の送信先に関する送信先情報を格納する送信先情報格納手段と、
前記買取情報に関する情報を前記送信先情報を参照して前記送信先へ送信する買取情報送信手段と、
を備えることを特徴とする中古車買取情報通知システム。
【請求項２】
前記買取情報のうち前記販売者がそれぞれに対して通知を要求する通知条件を格納する通知条件格納手段を備えており、
前記通知条件と前記送信先情報は関連付けて記録されていて、
前記買取情報送信手段は前記通知条件に一致した買取情報を選択して前記買取情報に関する情報を送信することを特徴とする請求項１記載の中古車買取情報通知システム。
【請求項３】
前記買取情報格納手段に新たな買取情報が格納されると、前記通知条件格納手段に格納された前記通知条件を参照して通知条件に一致する送信先を選択する送信先選択手段を有することを特徴とする請求項１又は２記載の中古車買取情報通知システム。
【請求項４】
前記通知情報格納手段に格納された前記通知条件には、中古自動車の買取に関する希望買取価格の上限又は下限の少なくとも一つに関する情報が含まれることを特徴とする請求項１乃至３いずれかに記載の中古車買取情報通知システム。
【請求項５】
前記買取情報格納手段に格納された買取情報には、前記買取者の連絡先に関する情報が含まれていることを特徴とする請求項１乃至４いずれかに記載の中古車買取情報通知システム。
【請求項６】
中古車の買取者が有する中古車の潜在的な買取情報を中古車の販売者に通知するための買取情報の通知方法であって、
コンピュータが前記買取者から受信する前記買取情報を記憶装置に格納するステップと、
コンピュータが前記買取情報に関する情報の通知を要求する前記販売者の送信先に関する送信先情報を記憶装置に格納するステップと、
コンピュータが前記買取情報に関する情報を前記送信先情報を参照して前記送信先へ送信するステップと、
を備えることを特徴とする中古車買取情報の通知方法。
【請求項７】
コンピュータが前記買取情報のうち前記販売者がそれぞれに対して通知を要求する通知条件を記憶装置に格納するステップを有しており、
前記通知条件と前記送信先情報は関連付けて記録されていて、
前記買取情報に関する情報を送信するステップにおいては、前記通知条件に一致した買取情報を選択して前記買取情報に関する情報を送信することを特徴とする請求項６記載の中古車買取情報の通知方法。
【請求項８】
前記買取情報を格納する記憶装置に新たな買取情報が格納されると、コンピュータが前記通知条件を格納する記憶装置に格納された前記通知条件を参照して通知条件に一致する送信先を選択するステップを有することを特徴とする請求項６又は７記載の中古車買取情報の通知方法。
【発明の詳細な説明】
【０００１】
【発明の属する技術分野】
本発明は、中古自動車の買取者が有する中古自動車の潜在的な買取情報を中古自動車の販売者に通知するための中古車買取情報通知システム及び中古車買取情報の通知方法に関するものである。
【０００２】
【従来の技術】
四輪自動車や二輪車などの中古車を販売する中古車販売業は、商品の仕入としての中古車の買取業務と、買い取った中古車を販売する販売業務が、両輪として重要な業務となっている。買取業務と販売業務については異なる設備やノウハウを必要とするものであり、いずれかを集中的に扱うことが効率的であるため、同一の事業者においても買取店と販売店を別々に設置することが一般的である。
【０００３】
買取店においては、顧客が持ち込んだ中古車の価格査定を行い、顧客が提示した価格を了承すると当該中古車を買い取り、販売店向けの在庫として保有することになる。ここで買取店が買い取りを行なうか否かの判断となる価格査定は、通常は同一又は類似の車種・型式についての販売店での販売価格相場、また業者間の在庫流通市場であるオークション相場を参考にして行なわれている。相場情報の参照には、車種や型式別の相場を記録したデータベースや冊子等が用いられることが一般的である。
【０００４】
買取店が仕入れた中古車は、直接販売店に輸送されて展示されることとなるが、より豊富な在庫を保有して中古車を購入する顧客のニーズに応えられるように、同一事業者の複数の販売店間で、さらには他の同業者も含めた複数の販売店間で同一のデータベースを利用して在庫情報を共有することも可能になっている（例えば、特許文献１参照）。このように現状の中古車販売業におけるシステムは、買取店が一般的な相場情報を参照して在庫の仕入れを行うことを前提に、販売店は既に買取店で買い取られた在庫の在庫情報をいかに効率的に取得して販売することができるかを主眼としたものとなっている。
【０００５】
【特許文献１】
特開２００２−６３１８０号公報
【０００６】
【発明が解決しようとする課題】
しかしながら、現在の方法で買取店が参照しているのはあくまで一般的な相場情報に過ぎないため、実際に販売店においてその価格で購入したいという顧客が存在するか否かは明らかでない。単に相場情報に合致したというだけでなく実需に基づいた在庫を仕入れておかないと、一般に中古車の販売相場は時間の経過とともに減価するものであるため、在庫の滞留期間が長期化するにつれて当初見込みより利幅が縮小するという問題が生じてしまう。
【０００７】
また、現在の方法においては、例えば販売店において「値段は度外視してでもある車のある型式の中古車を購入したい」というような相場情報には表れない実需が存在している場合であっても、買取店の側でこのような個別の情報を把握できずに一般的な相場情報に基づいて査定を行なっているために、仕入のチャンスを逃がしてしまうことも生じ得る。中古車を売りたい顧客は通常は複数の買取店を回って査定を受けることが多いため、このようなチャンスを逃すと独自の判断を行ったライバル店に先に買い取られてしまう、いわゆる「買い負け」と呼ばれる事態を生じさせてしまうことになる。
【０００８】
このような事態を回避するためには、買取店が販売店側の把握している実需に則した仕入を行なうよう、実需に則した情報を効率的に受け渡すための仕組みが必要となる。
【０００９】
そのためには、販売店側が把握している実需に関連する情報をデータベースに予め入力しておき、買取店がその情報を参照して査定や買い取りの判断を行うことも可能であるが、販売店の把握し得る情報の性格からいくつかの問題が生じてしまう。まず、こうした情報の中には、具体的な顧客が購入を約束して在庫探しの依頼を受けているレベルのものから、顧客から単に問い合せを受けたもの、さらには販売店の担当者の推測で具体的な顧客からの需要はなくてもこのような車なら売れるだろうから在庫が欲しいというレベルのものまで、様々な需要のレベルが存在するため、買取店がデータベースの情報を参照しただけでは本当に買い取りを行なっていいか否かの判断がつきにくいという問題がある。また、このようなニーズも、例えば他店で希望に近い在庫が見つかったなどの事情によってその内容が変化し易いものであるため、正確な状況を反映するためには、販売店側が頻繁に多くの情報を更新しなければならないという問題もある。このように、販売店側の実需に関する情報は内容が多様かつ流動的であるため、一般的な売買仲介システムに入力する注文内容のように条件を特定することが困難という問題を有している。
【００１０】
上記の方法による問題は、買取店側は買取査定時には具体的に特定の中古車を対象にした交渉を行なっているのに対し、販売店側の実需に関する情報が流動的かつ抽象的であることが多いということにも起因している。従って、具体的な情報を有する買取店に流動的かつ抽象的な情報から買い取りの判断を委ねるのではなく、具体的な情報を買取店から取得した販売店が流動的かつ抽象的な要素から買い取りを判断できるよう、買取店から販売店に必要十分な情報を通知できるシステムを構成することが好ましい。
【００１１】
本発明は、このような課題に対応して、中古自動車の買取店から販売店に必要な潜在的な買取候補車に関する情報を随時通知することにより、いわゆる「買い負け」を防止して販売店に必要な在庫を確保することが可能な中古車買取情報通知システム及び通知方法を提供することを目的とするものである。
【００１２】
【課題を解決するための手段】
このような課題を解決するために、本発明は、中古車の買取者が有する中古車の潜在的な買取情報を中古車の販売者に通知するための買取情報通知システムであって、前記買取者から受信する前記買取情報を格納する買取情報格納手段と、前記買取情報に関する情報の通知を要求する前記販売者の送信先に関する送信先情報を格納する送信先情報格納手段と、前記買取情報に関する情報を前記送信先情報を参照して前記送信先へ送信する買取情報送信手段と、を備えることを特徴とする。
【００１３】
この発明においては、中古車の買取者から潜在的な買取情報を入手して、この買取情報の送信を希望する中古車の販売者に予め送信先を登録させておくことにより、販売者に対して必要な潜在的な買取候補車に関する情報を随時通知することが可能になる。通知を受けた販売者は、必要と判断すれば当該買取者に電話等で連絡を入れて、個別に買い取りの指示を与えることができる。
【００１４】
ここで、中古車の潜在的な買取情報とは、中古車の買取を希望する顧客が示した買取条件に関する情報をいい、当該中古車の車種、年式、買取希望価格などが含まれる。中古車には、乗用車やトラックなどの自動車に限られず、オートバイなどの二輪自動車や自転車など二輪車なども対象に、現在の所有者から買い取ることが可能な全ての中古車両が含まれる。送信先には、電子メールアドレスなどの電子情報の送付先が指定される。買取情報に関する情報とは、前記買取情報のうち、販売者に送信すべき全部又は一部の情報のことをいう。
【００１５】
また、本発明は、前記買取情報のうち前記販売者がそれぞれに対して通知を要求する通知条件を格納する通知条件格納手段を備えており、前記通知条件と前記送信先情報は関連付けて記録されていて、前記買取情報送信手段は前記通知条件に一致した買取情報を選択して前記買取情報に関する情報を送信することを特徴とすることもできる。
【００１６】
このように構成すると、販売者が予め把握しているニーズから一定の通知条件を定めておくことにより、自らのニーズに合致した情報を選択的に受け取ることにより、より効率的な情報の取得が可能になる。通知条件には、中古車の購入を希望する顧客が希望している車種、年式、購入可能価格などの情報から、販売者が通知を受けたいと思う条件が指定される。
【００１７】
さらに、本発明は、前記買取情報格納手段に新たな買取情報が格納されると、前記通知条件格納手段に格納された前記通知条件を参照して通知条件に一致する送信先を選択する送信先選択手段を有することを特徴とすることもできる。
【００１８】
このように構成すると、買取者が情報を送信すると即時に通知が必要な販売者を選択して情報を送信することができるので、販売者は早期に必要な情報を認知することが可能となり、いわゆる「買い負け」の防止に一層効果的である。販売者の側では、購入の希望条件を提示した顧客に対して在庫確保の可能性を連絡し、顧客を早期に抑えることも可能になる。
【００１９】
さらに、本発明は、前記通知情報格納手段に格納された前記通知条件には、中古自動車の買取に関する希望買取価格の上限又は下限の少なくとも一つに関する情報が含まれることを特徴とすることもできる。
【００２０】
中古車の購入希望についての流動的かつ抽象的なニーズに対応するためには、販売者が通知を求める条件にもある程度の幅を持たせることが必要となる。販売者は通知を受けた範囲でその後のニーズの変動を考慮して、必要な場合には買取店に電話等で連絡して買い取りの指示をすればよい。この構成により、中古車の購入を希望する顧客が示した具体的な希望価格帯や、販売店が独自に判断した特定の車種について最もニーズがあると思われる価格帯などを設定することにより、これに対応した情報を選択して販売店に通知し、効率的な在庫の手当てを可能とするものである。
【００２１】
さらに、本発明は、前記買取情報格納手段に格納された買取情報には、前記買取者の連絡先に関する情報が含まれていることを特徴とすることもできる。
【００２２】
このように構成すると、通知を受けた販売店は、買取情報に含まれた連絡先を参照することにより、容易に買取店や買取店の担当者と連絡をとることが可能になる。連絡先には、即座に個別具体的な交渉を行なうためには電話番号を用いることが好ましいが、電子メールアドレス等を用いてもよい。
【００２３】
尚、本発明にかかる中古車買取情報通知システムは、上記のそれぞれの構成に対応した中古車買取情報の通知方法として構成することもできる。
【００２４】
【発明の実施の形態】
本発明の実施の形態について、図面を用いて以下に詳細に説明する。尚、本発明の実施の形態は、以下に説明するデータベースやテーブルの構成の態様に限定されるものではない。
【００２５】
図１は、本発明にかかる中古車買取情報通知システムの概要を示す図である。図２は、本発明にかかる中古車買取情報通知システムの構成の一例を示すブロック図である。図３は、本発明にかかる中古車買取情報通知システムにおける買取情報テーブルの構成の一例を示す図である。図４は、本発明にかかる中古車買取情報通知システムにおける通知条件テーブルの構成の一例を示す図である。図５は、中古車買取情報通知システムにおける送信先情報テーブルの構成の一例を示す図である。図６、図７は、本発明にかかる買取情報通知システムにおける、それぞれ通知条件から買取情報を検索して買取情報を送信するフロー、買取情報から通知条件を検索して買取情報を送信するフローのフローチャートである。
【００２６】
図１において、本発明にかかる中古車買取情報通知システムは、中古車販売業者の本部等が運用する中古車買取情報通知システム１００と、買取店に設置された買取店端末２００、販売店に設置された販売店端末３００から構成されており、これらはインターネットを介して接続されている。買取店端末２００からは、査定のみに来店した顧客の保有する車などの潜在的な買取候補車に関する買取情報が入力され、中古車買取情報通知システムのデータベースに格納される。販売店端末３００からは、販売者が通知を要求する送信先と通知を要求する条件について入力すると、中古車買取情報通知システムのデータベースに格納される。このように入力された買取情報の中から通知条件に合致する情報が抽出され、当該通知条件に対応する送付先の情報を抽出し、当該送付先へ買取情報の全部又は一部を送付するよう構成されている。尚、販売店が幅広く潜在的な買取情報を把握したい場合には、販売店端末３００からは販売者が通知を要求する送信先のみを入力して中古車買取情報通知システムのデータベースに登録してもよく、この場合は全ての買取情報を対象に、当該送付先へ買取情報の全部又は一部が送付される。
【００２７】
図２は、中古車買取情報通知システム１００の構成を、さらに詳しく示したものである。中古車買取情報通知システム１００には、在庫データベース１１０、通知条件データベース１２０、検索部１３０、本部ＳＭＴＰサーバ１４０が含まれている。
【００２８】
在庫データベース１１０には、在庫情報テーブル１１１と、買取情報テーブル１１２が含まれている。買取店に中古車の買取を希望する顧客が来店し、査定を行った上で買取が成約すると、当該中古車は当該販売業者における在庫となるため、買取店端末２００から在庫情報として必要なデータが入力され、在庫情報テーブル１１１に記録される。また、来店した顧客が査定の結果に不満足で買取に至らなかった場合、当該中古車の情報と合わせて、例えば顧客はいくらであれば買取に応じたかといった情報が、買取店端末２００から買取情報として入力される。
【００２９】
このように入力された二種類の情報は、それぞれ在庫情報テーブル１１１と買取情報テーブル１１２に分別されて格納される。買取情報テーブル１１２に記録された情報についても、その後に買取が成約して在庫となった場合には、当該情報が削除されて在庫情報テーブル１１１に記録される。又は、顧客に再度問い合せて買取情報の対象となる中古車を他店が買い取ったことが明らかになった場合などにも、当該情報は買取情報テーブル１１２から削除される。
【００３０】
通知条件データベース１２０には、送信先情報テーブル１２１と、通知条件テーブル１２２が含まれている。送信先情報テーブル１２１に記録された送信先は、通知条件テーブル１２２と関連付けられており、通知条件に合致して買取情報を送付する送付先を特定することができる。尚、これらを同一のテーブルにおいて通知条件毎にレコードを設け、それぞれに通知条件と送付先を記録するフィールドを設けるよう構成してもよい。販売店端末３００からは、顧客の購入ニーズを考慮しながら、在庫として抑えたい中古車の条件と自己の連絡先を入力すると、これらが通知条件データベース１２０に記録され、該当する情報が入力されたときに通知を受けられることとなる。
【００３１】
検索部１３０においては、買取情報テーブル１１２に格納された情報のうち、通知条件テーブル１２２に格納された条件に合致する買取情報を検索する。検索のタイミングは、例えば毎日定時に１回、営業時間の１時間毎に１回というように予め設定しておけばよい。通知条件に合致した買取情報については、当該通知条件に対応する送信先情報を送信先情報テーブル１２１から抽出し、本部ＳＭＴＰサーバ１４０より電子メールで送信する。送信する情報は、買取情報の全てであってもよいし、要約情報や該当する買取店に関する情報など、買取情報の一部であってもよい。
【００３２】
先に説明した通り、買取情報に記録されるのは顧客が査定条件に不満足で買取に至らなかったケースが多いため、そのまま他の買取店を訪問して、条件次第では当該中古車を売却してしまうこともある。一方、販売店では当該中古車をさらに好条件で買い取っても販売できるという感触を持っていた場合、本来なら買い取って良かった中古車を買えなかった、いわゆる「買い負け」を生じさせてしまうことになる。このような事態を防止するためには、買取店が得た情報はなるべく早く販売店に通知し、販売店で再度買い取りの可否を判断するために買取店に電話などで連絡をとって協議することが必要である。従って、上記の通知方法においては、検索の頻度をなるべく高めることにより、リアルタイムに近い状態で送信できることが好ましい。
【００３３】
買取情報をさらに早く販売店に送信するためには、中古車買取情報システム１００が買取店端末２００から新たに買取情報を受信すると、検索部１３０において通知条件テーブル１２２を検索し、通知条件に該当する買取情報はそのまま本部ＳＭＴＰサーバ１４０から送信するよう構成してもよい。通知条件に該当しない場合には、その後に入力される通知条件に一致する可能性もあるため、当該買取情報は買取情報テーブル１１２に格納される。このように構成すると、買取店が買取情報を入力すると即時に通知が必要な販売店を選択して、必要な情報を送信することが可能となる。
【００３４】
本部ＳＭＴＰサーバ１４０から送信された買取情報が含まれた電子メールは、指定された通知先を含む販売店メールシステム４００に送信される。販売店メールシステム４００では、販売店ＳＭＴＰサーバ４１０で当該電子メールを受信し、販売店ＰＯＰサーバ４２０に格納する。販売店端末３００からは、販売店ＰＯＰサーバ４２０に格納された電子メールを参照することができる。販売店メールシステム４００は、販売店が加入しているＩＳＰのメールサーバであってもよいし、販売店が自ら所有するメールサーバであってもよい。電子メールの送受信手段は、ＳＭＴＰサーバ及びＰＯＰサーバを用いる場合を例示したが、電子情報を送受信できる機能を備えていれば他の手段を用いるものであってもよい。
【００３５】
図３は、中古車買取情報通知システム１００における在庫データベース１１０内の買取情報テーブル１１２の構成の一例を示している。ここには、先に説明した通り、買取店が買い取りを行ってはいないものの、今後買い取ることができる可能性のある中古自動車の潜在的な在庫情報が記録されている。ここに記録される情報は、具体的に査定を行ったものに限られず、顧客と口頭で対話したなど初期段階の情報であってもよい。買取情報を受信した販売店が早急に連絡をとって協議できるよう、買取情報には買取店や買取店の担当者の電話番号などの連絡先に関する情報が記録されていることが好ましい。
【００３６】
中古自動車の潜在的な買取情報としては、車種、型式、状態、希望価格などを記録する。他に、色や車検の有無など当該中古自動車に付帯する情報を記録してもよい。当該情報の連絡先に関する情報としては、販売店、当該中古自動車に関する担当者の電話番号や電子メールアドレスなどが記録されている。
【００３７】
図４は、中古車買取情報通知システム１００における通知情報データベース１２０内に設けられている通知情報テーブル１２２の構成の一例を示している。ここには、販売店が通知を要求する中古自動車に関する情報が記録されている。販売店では、例えば顧客から問合せを受けたものの在庫が存在しない中古車について、顧客の指定する条件を記録しておき、該当する中古車が買取店に表れたときに連絡を受けられるよう設定しておく。
【００３８】
販売店が通知を要求する中古自動車に関する情報としては、車種、型式、希望価格などを指定する。顧客が中古車を探す条件は、ある程度の範囲を有していることが一般的なので、希望価格にはその下限や上限を指定してもよい。また、これらの条件は特定の顧客が指定するものでなくても、例えば最近の顧客の動向から販売店として抑えておきたい車種など、販売店独自の判断で在庫として持ちたい中古車に関する条件を指定してもよい。また、販売店などの販売者を特定する情報として、販売者コードを付与する例を挙げているが、販売者の氏名を直接記入するなど、販売者を特定できる情報であればコード番号には限られない。
【００３９】
図５は、中古車買取情報通知システム１００における通知情報データベース１２０内に設けられている送信先テーブル１２１の構成の一例を示している。ここには、通知を要求する販売店及び販売担当者の情報、販売担当者の連絡先に関する情報などが記録されている。
【００４０】
通知を要求する販売担当者の情報は、通知条件テーブル１２２に格納された通知条件と関連付けられていることが必要である。この例では、販売者コードによりそれぞれの通知条件に該当した場合の通知先を特定できるよう設定されている。連絡先に関する情報としては、電子メールアドレスが用いられる。
【００４１】
図６は、本発明にかかる中古車買取情報通知システムについて、通知条件から買取情報を検索して買取情報を送信するフローを示している。買取情報テーブルには、買取店から入力された情報が随時蓄積されていくが、これらを必要な販売店に通知するために、定期的に通知条件を検索する処理が起動される。まず、通知条件テーブルから順に通知条件を抽出し（Ｓ０１）、それぞれの通知条件について買取情報テーブルを参照して（Ｓ０２）、通知条件に一致するデータが買取情報テーブルに存在するかを確認する（Ｓ０３）。通知条件に一致するデータが買取情報テーブルに存在していない場合には、そのまま処理を終了する。
【００４２】
一方、通知条件に一致するデータが買取情報テーブルに存在する場合には、該当する買取情報を抽出する（Ｓ０４）。併せて、送信先テーブルを参照して（Ｓ０５）、通知条件を設定した販売店に関する送信先情報を抽出し（Ｓ０６）、ＳＭＴＰサーバより当該送信先へ買取情報に関するデータを電子メールで送信する（Ｓ０７）。
【００４３】
図７は、本発明にかかる中古車買取情報システムにおいて、買取情報から通知条件を検索して買取情報を送信するフローを示している。買取店端末から入力された買取情報を受信すると（Ｓ１１）、通知情報テーブルに当該買取情報が該当する通知条件の有無を参照して（Ｓ１２）、買取情報に一致する通知条件が存在するかを確認する（Ｓ１３）。受信した買取情報に一致する通知条件が存在していない場合には、買取情報を買取情報データベースに格納する（Ｓ１７）。
【００４４】
買取情報に一致する通知条件が存在する場合には、当該買取情報の全部又は一部をＳＭＴＰサーバに送信し（Ｓ１５）、当該通知条件に対応する送信先の電子メールアドレスを送信先情報テーブルより参照してＳＭＴＰサーバに送信し（Ｓ１６）、販売店ＳＭＴＰサーバへ当該買取情報を含むデータが送信される（Ｓ１７）。併せて、当該買取情報を買取情報データベースに格納する（Ｓ１８）。
【００４５】
買取情報データベースに格納された買取情報は、通知を受けた販売店からの指示で買取が行なわれると在庫情報テーブルに移されるが、買取が行われない場合は、図６のフローで定期的に通知条件から検索が行なわれる際に参照され、新たな通知先に送信される場合もある。
【００４６】
【発明の効果】
本発明により、中古自動車の買取店から販売店に必要な潜在的な買取候補車に関する情報を随時通知することが可能になるため、販売店はこの情報から必要に応じて買取店に指示を出すことにより、いわゆる「買い負け」を防止して販売店に必要な在庫を確保することができる。一般的な相場を参考にした従来の買取店主導の在庫調達だけでなく、実需を把握した販売店からの指示を反映することにより、より適切な在庫の確保が可能になる。
【図面の簡単な説明】
【図１】本発明にかかる買取情報通知システムの概要を示す図である。
【図２】本発明にかかる買取情報通知システムの構成の一例を示すブロック図である。
【図３】本発明にかかる買取情報通知システムについて、買取情報テーブルの構成の一例を示す図である。
【図４】本発明にかかる買取情報通知システムについて、通知条件テーブルの構成の一例を示す図である。
【図５】本発明にかかる中古車買取情報通知システムについて、送信先テーブルの構成の一例を示す図である。
【図６】本発明にかかる中古車買取情報通知システムについて、通知条件から買取情報を検索して買取情報を送信するフローのフローチャートである。
【図７】本発明にかかる中古車買取情報通知システムについて、買取情報から通知条件を検索して買取情報を送信するフローのフローチャートである。
【符号の説明】
１００　　中古車買取情報通知システム
１１０　　在庫データベース
１１１　　在庫情報テーブル
１１２　　買取情報テーブル
１２０　　通知条件データベース
１２１　　送信先情報テーブル
１２２　　通知条件テーブル
１３０　　検索部
１４０　　本部ＳＭＴＰサーバ
２００　　買取店端末
３００　　販売店端末
４００　　販売店メールシステム
４１０　　販売店ＳＭＴＰサーバ
４２０　　販売店ＰＯＰサーバ
【図１】
2004139359.tif 000003
【図２】
2004139359.tif 000004
【図３】
2004139359.tif 000005
【図４】
2004139359.tif 000006
【図５】
2004139359.tif 000007
【図６】
2004139359.tif 000008
【図７】
2004139359.tif 000009